(57)【要約】
【課題】外部からの異物の侵入を防ぐこと、および試料の乾燥変質を防止し、かつ簡単に位置ずれが生じないようにする。
【解決手段】本考案の顕微鏡検鏡用試料容器１の蓋部材３は、顕微鏡検鏡用試料容器１の上面にかぶせるための、透過光に影響がない平行平面ガラス４の窓部１ａを有する蓋部材３で、蓋部材３にガスの流通口としての突起部６を設け、高湿度の培養ガスを流通可能にして試料７の乾燥を防ぐこと、および蓋部材３の重量を適度に設定し、顕微鏡検鏡用試料容器１の位置が容易にずれないようにした。
【選択図】　図１
0003100179.tif 000002
【実用新案登録請求の範囲】
【請求項１】
顕微鏡検鏡用の被観察試料容器の上面にかぶせて検鏡するための、平行平面ガラスの窓部を有することを特徴とする顕微鏡検鏡用試料容器の蓋部材。
【請求項２】
前記蓋部材に培養ガス類の流通口を有する請求項１記載の顕微鏡検鏡用試料容器の蓋部材。
【請求項３】
前記顕微鏡検鏡用試料容器が蓋部材の重量を利用して、容易に位置ずれしないように重量を適度に設定した請求項１または請求項２記載の顕微鏡検鏡用試料容器の蓋部材。
【請求項４】
顕微鏡検鏡用試料容器の上面にかぶせるための、透過光に影響がない平行平面ガラスの窓部を有する蓋部材で、蓋部材にガスの流通口を設け、高湿度の培養ガスを流通可能にして試料の乾燥を防ぐこと、および蓋部材の重量を適度に設定し、顕微鏡検鏡用試料容器の位置が容易にずれないようにしたことを特徴とする顕微鏡検鏡用試料容器の蓋部材。
【考案の詳細な説明】
【技術分野】
【０００１】
この考案は、顕微鏡検鏡用試料容器の蓋部材に関し、特に被観察試料を収納する通称「ガラスボトム・ディシュ」と呼ばれる顕微鏡検鏡用試料容器の蓋部材に関する。ガラスボトム・ディシュは、偏光を利用してわずかに離れた２つの光を作り、それを無色透明な試料に透過させ、その後２つの光を干渉させ、無色透明な試料を立体的に見えるようにした微分干渉検鏡法や、特殊な染色を施した試料に光（励起光）を当てて、試料から発した蛍光を観察する蛍光検鏡法などにより、細胞などを観察する場合などに用いられる。
【背景技術】
【０００２】
従来、この種の顕微鏡検鏡用試料容器は、ポリスチレンなどのプラスチック製で、直径３５〜６０ｍｍ程度、深さ８ｍｍ程度の透明な皿型の容器で、同質の蓋と１対で細胞培養や、細胞観察に用いられている、肉厚の極めて薄い軽量なものである。なお、底部には中央部が直径１５ｍｍ程度の穴が開けられ、通称「カバーガラス」と呼ばれる、厚さ０．１５ｍｍ程度のガラスか水晶製の平行平面板が、穴を被うように貼り付けられ、透過する光線が歪まないように、構成されている。
【０００３】
一般の位相差顕微鏡などでは、この種の顕微鏡検鏡用試料容器は付属の蓋を用いても、特に差し支えないが、微分干渉検鏡や蛍光検鏡ではその特性上、ポリスチレンなどプラスチックでは透過する光線が歪んだり、自己発光があるため透過光での検鏡が不可能なため、やむを得ず蓋を取り外した状態で、試料が剥き出しのまま観察していた（例えば、特許文献１参照）。
【特許文献１】特開平１０―２３９３２５号（第３頁、図３）
【考案の開示】
【考案が解決しようとする課題】
【０００４】
従来の顕微鏡検鏡用試料容器では、蓋を取り外した状態で試料が剥き出しのまま観察していたので、外部から異物の侵入などで、試料が汚染したり、試料の水分が観察中に蒸発して、乾燥変質したりするなどの不具合が生じていた。
【０００５】
また、顕微鏡検鏡用試料容器自身が軽量で、かつ蓋も外すために非常に軽く、観察中にわずかな衝撃などでも位置がずれてしまい、試料の観察個所が変動してしまうなどの、不具合があった。
【０００６】
本考案の目的は、微分干渉検鏡および蛍光検鏡などに使用可能で、外部からの異物の侵入を防ぐこと、および試料の乾燥変質を防止し、かつ簡単に位置ずれが生じない顕微鏡検鏡用試料容器の蓋部材を提供することにある。
【課題を解決するための手段】
【０００７】
本考案の顕微鏡検鏡用試料容器の蓋部材は、顕微鏡検鏡用の被観察試料容器において、容器の上面にかぶせて検鏡するための、平行平面ガラスの窓部を有することを特徴とする。
【０００８】
また、本考案の顕微鏡検鏡用試料容器の蓋部材は、前記蓋部材に培養ガス類の流通口を有することを特徴とする。
【０００９】
さらに、本考案の顕微鏡検鏡用試料容器の蓋部材は、前記顕微鏡検鏡用試料容器が蓋部材の重量を利用して、容易に位置ずれしないように重量を適度に設定したことを特徴とする。
【００１０】
さらにまた、本考案の顕微鏡検鏡用試料容器の蓋部材は、顕微鏡検鏡用試料容器の上面にかぶせるための、透過光に影響がない平行平面ガラスの窓部を有する蓋部材で、蓋部材にガスの流通口を設け、高湿度の培養ガスを流通可能にして試料の乾燥を防ぐこと、および蓋部材の重量を適度に設定し、顕微鏡検鏡用試料容器の位置が容易にずれないようにしたことを特徴とする。
【考案の効果】
【００１１】
本考案の顕微鏡検鏡用試料容器の蓋部材によれば、図１および図２に示すように、微分干渉検鏡や蛍光検鏡の場合に、従来は、試料７および培養液７ａが剥き出しのまま作業を行っていたため、外部からの異物の侵入などで、試料７および培養液７ａが汚染する恐れがあったが、光学的に支障がない平行平面ガラス４を窓にした蓋部材３で外部から遮断されるので試料７および培養液７ａが、汚染される恐れがなくなった。
【００１２】
また、剥き出しの状態で作業を行うため、試料７および培養液７ａの水分が蒸発して乾燥したり変質する場合があったが、蓋部材３にガスを流通させるための間隙を形成する複数個の突起部６を設け、検鏡作業中に高湿度の培養ガスを流通させることにより、乾燥、変質を防ぐことができる。
【００１３】
さらに、蓋部材３は、黄銅などの比重の大きい金属で製作され、その重量が５０〜１００グラム程度に構成され、蓋部材３を顕微鏡検鏡用試料容器１にかぶせることにより、それぞれの重量が合算され、全体の重量が増加し、顕微鏡検鏡用試料容器１とステージ８との滑り抵抗が増加して、顕微鏡検鏡用試料容器１が軽い衝撃などで簡単に位置がずれるのを防ぐことができる。
【考案を実施するための最良の形態】
【００１４】
以下、本考案の実施例について、図面を参照して説明する。
【実施例１】
【００１５】
図１に示すように、本考案に係る顕微鏡検鏡用試料容器の蓋部材は、顕微鏡検鏡用試料容器１にかぶさる金属製の蓋部材３と、これに収納された平行平面ガラス４と、平行平面ガラス４が外れないための止め輪５と、高湿度の培養ガスを流通させるための間隙を設けるための複数個の突起部６とを持っている。
【００１６】
顕微鏡検鏡用試料容器１は、ポリスチレンなどで作られた、ガラスボトム・ディシュと呼ばれるもので、その底部に開けられた窓部１ａに貼られたカバーガラス２を有する。このような構成で顕微鏡検鏡用試料容器１は、カバーガラス２に試料７が乗せられ、培養液７ａに浸された状態で、顕微鏡のステージ８に検鏡可能に置かれている。顕微鏡検鏡用試料容器１および蓋部材３の上下には、顕微鏡の対物レンズ９、コンデンサレンズ１０などがある。
【００１７】
なお、これ以外に、本考案の範囲外で図示に無い、高湿度培養ガスの供給排出および制御装置が設置されて、試料の湿度の状態などを保っている。
【００１８】
このような構成において、顕微鏡検鏡用試料容器１のガラスボトム・ディシュは材質が比重の小さいプラスチックで、かつ肉厚が薄いため重量が２〜５グラム程度の軽量でわずかな接触や衝撃でステージ８上で、置かれた位置からずれてしまう場合がある。このため、蓋部材３は比重の大きい黄銅などの金属の材料で、５０〜１００グラム程度の重量になるように製作されており、この重量で顕微鏡検鏡用試料容器１が容易に位置ずれを起こさないための重しの役も兼ねている。
【図面の簡単な説明】
【００１９】
【図１】本考案の実施例１に係る顕微鏡検鏡用試料容器の蓋部材の使用態様を示す要部断面図である。
【図２】本考案の実施例１に係る顕微鏡検鏡用試料容器の蓋部材の断面図および底面図である。
【符号の説明】
【００２０】
１　顕微鏡検鏡用試料容器
１ａ　窓部
２　カバーガラス
３　蓋部材
４　平行平面ガラス
５　止め輪
６　突起部
７　試料
７ａ　培養液
８　ステージ
９　対物レンズ
１０　コンデンサレンズ
【図１】
0003100179.tif 000003
【図２】
0003100179.tif 000004